(57)【要約】【課題】光源部を着脱可能に装着するベース部を備えた発光モジュールにおいて、光源部のベース部からの落下を防止し、発光モジュールの見栄えを良くする。【解決手段】発光モジュール１は、光源部２と、光源部２を着脱可能に装着するベース部３と、を備える。光源部２は、自身をベース部３に取り付ける取付機構２１を有し、ベース部３は、取付機構２１と係合する被取付機構３１を有する。また、発光モジュール１は、取付機構２１と被取付機構３１とが互いに係合していないときに、光源部２とベース部３とを互いに繋ぎ止めるフック機構５を備える。フック機構５は、光源部２をベース部３に装着したときに光源部２の厚み内に収まる。上記構成によれば、取付機構２１と被取付機構３１との係合が外れた場合でもフック機構５により光源部２のベース部３からの落下を防止することができ、また、フック機構５を設けても光源部２が分厚くならないので発光モジュール１の見栄えが良い。【選択図】図２
2014194917.tif 000002
【特許請求の範囲】
【請求項１】
平板状の光源部と、この光源部に給電する給電部を有する平板状のベース部と、を備えた発光モジュールであって、
前記光源部は、一の面を発光面とし、前記発光面とは反対側の面に該光源部を前記ベース部に着脱可能に取り付けるための取付機構を有し、
前記ベース部は、前記光源部が装着される装着面に前記取付機構と係合する被取付機構を有し、
前記取付機構と前記被取付機構とが互いに係合していないときに、前記光源部と前記ベース部とを互いに繋ぎ止めるフック機構を更に備え、
前記フック機構は、前記光源部を前記ベース部に装着したときに、前記光源部の厚み内に収まることを特徴とする発光モジュール。
【請求項２】
前記フック機構は、前記光源部及び前記ベース部のいずれか一方に設けられたワイヤ部材と、他方に設けられ前記ワイヤ部材と係合するフック部材と、を有し、
前記ワイヤ部材は、前記フック部材との係合箇所と対峙する箇所を支点として前記光源部又は前記ベース部に対して回動可能となっていることを特徴とする請求項１に記載の発光モジュール。
【請求項３】
前記ワイヤ部材は、前記光源部又は前記ベース部に対してスライド可能となっていることを特徴とする請求項２に記載の発光モジュール。
【請求項４】
前記光源部は、該光源部を前記ベース部に装着したときに前記ワイヤ部材を収納する凹部を有することを特徴とする請求項２又は請求項３に記載の発光モジュール。
【請求項５】
前記取付機構は、前記光源部の一端及び他端にそれぞれ設けられ前記被取付機構との係合に用いられる係合部及び保持部を有し、前記保持部は、前記係合部に向かう方向とは逆方向に弾性付勢され、
前記被取付機構は、前記係合部及び保持部の各々と係合する被係合部及び被保持部を有し、
前記光源部は、前記係合部を前記ベース部の被係合部に係合させた状態で前記ベース部の方向に回動可能とされ、
前記ワイヤ部材は、前記光源部を前記ベース部に対して回動させるときに、前記フック部材に係合することを特徴とする請求項２乃至請求項４のいずれか一項に記載の発光モジュール。
【請求項６】
前記ワイヤ部材は、前記光源部を前記ベース部に対して回動させた状態で前記係合部を前記被係合部から外すように前記光源部を前記ベース部から離れる方向に移動させると、前記フック部材から外れるように構成されていることを特徴とする請求項５に記載の発光モジュール。
【請求項７】
前記フック部材は、前記ベース部に設けられ、前記フック部材の先端が前記被保持部と対向するように配置されていることを特徴とする請求項５又は請求項６に記載の発光モジュール。
【請求項８】
前記フック部材は、前記光源部を前記ベース部に装着する方向とは逆方向に回動したときに、前記ワイヤ部材と係合することを特徴とする請求項７に記載の発光モジュール。
【請求項９】
前記ワイヤ部材は、前記フック部材が嵌り込む窪み部を有することを特徴とする請求項２乃至請求項８のいずれか一項に記載の発光モジュール。
【請求項１０】
前記ワイヤ部材は、前記ワイヤ部材の回動範囲を規制する規制部を有することを特徴とする請求項２乃至請求項９のいずれか一項に記載の発光モジュール。
【請求項１１】
前記ワイヤ部材は、前記規制部により回動が規制された位置で前記光源部又は前記ベース部に対して着脱可能となっていることを特徴とする請求項１０に記載の発光モジュール。
【請求項１２】
前記フック部材は、前記ベース部の装着面から立設された立設片と、前記立設片の端部から前記装着面と平行に伸びる平行片と、前記平行片の端部から前記立設片の立ち上がり部に向けて伸びる折り返し片と、を有することを特徴とする請求項２乃至請求項１１のいずれか一項に記載の発光モジュール。
【請求項１３】
前記折り返し片の端部から前記装着面までの間隙大きさは、前記ワイヤ部材の前記フック部材との係合箇所の断面幅よりも小さく、前記フック部材が弾性変形することにより前記断面幅よりも大きくなることを特徴とする請求項１２に記載の発光モジュール。
【請求項１４】
前記フック部材は、前記折り返し片の端部から前記立設片と前記平行片との接続部に向けて伸び前記ワイヤ部材を係止する係止片を更に有し、
前記係止片の端部から前記装着面までの間隙大きさは、前記ワイヤ部材の前記フック部材との係合箇所の断面幅よりも大きいことを特徴とする請求項１２又は請求項１３に記載の発光モジュール。
【請求項１５】
前記フック機構は、前記光源部及び前記ベース部のいずれか一方に設けられた伸縮部材と、他方に設けられ前記伸縮部材と係合するフック部材と、を有することを特徴とする請求項１に記載の発光モジュール。
【請求項１６】
前記フック機構は、前記光源部及び前記ベース部のいずれか一方に設けられ折りたたみ可能に構成された折りたたみ部材と、他方に設けられ前記折りたたみ部材と係合するフック部材と、を有することを特徴とする請求項１に記載の発光モジュール。
【請求項１７】
請求項１乃至請求項１６のいずれか一項に記載の発光モジュールを備えたことを特徴とする照明装置。
【発明の詳細な説明】
【技術分野】
【０００１】
本発明は、有機ＥＬ素子を光源とする発光モジュール及びそれを用いた照明装置に関する。
【背景技術】
【０００２】
有機ＥＬ素子は、低電圧で高輝度の発光が可能であり、含有する有機化合物の種類によって様々な発光色が得られ、且つ平板状の発光パネルとしての製造が容易である。そのため、近年、有機ＥＬ素子を光源とする発光モジュールの開発が進められている。
【０００３】
このような発光モジュールとして、有機ＥＬ素子を有する平板状の光源部と、この光源部を着脱可能に装着する平板状の装着部（ベース部）と、を備えたものが知られている（例えば、特許文献１参照）。光源部は、一面を発光面とし、この発光面とは反対側の面（背面）にベース部との係合に用いられる爪部を有する。一方、ベース部は、この爪部に係合する保持部を光源部と相対する装着面に有する。保持部は、装着面と平行な方向にスライド可能となるように付勢機構によって付勢されており、付勢された状態で爪部と係合する。このような発光モジュールでは、爪部が光源部の背面側に配置されているので、光源部をベース部に装着したときに爪部及び保持部が光源部によって隠されて見栄えが良い。
【先行技術文献】
【特許文献】
【０００４】
【特許文献１】特開２０１２−１８６００６号公報
【発明の概要】
【発明が解決しようとする課題】
【０００５】
しかしながら、上述したような発光モジュールでは、光源部をベース部から取り外す際に、作業者は付勢機構による付勢力に逆らって光源部を引っ張る必要があるので、勢い余って光源部をベース部から落下させてしまう虞がある。
【０００６】
本発明は、上記課題を解決するものであって、光源部を着脱可能に装着するベース部を備えた発光モジュールにおいて、光源部をベース部から取り外す際に光源部の落下を防止することができ、しかも見栄えの良い発光モジュールを提供することを目的とする。
【課題を解決するための手段】
【０００７】
本発明の発光モジュールは、平板状の光源部と、この光源部に給電する給電部を有する平板状のベース部と、を備え、前記光源部は、一の面を発光面とし、前記発光面とは反対側の面に該光源部を前記ベース部に着脱可能に取り付けるための取付機構を有し、前記ベース部は、前記光源部が装着される装着面に前記取付機構と係合する被取付機構を有し、前記取付機構と前記被取付機構とが互いに係合していないときに、前記光源部と前記ベース部とを互いに繋ぎ止めるフック機構を更に備え、前記フック機構は、前記光源部を前記ベース部に装着したときに、前記光源部の厚み内に収まることを特徴とする。
【０００８】
前記フック機構は、前記光源部及び前記ベース部のいずれか一方に設けられたワイヤ部材と、他方に設けられ前記ワイヤ部材と係合するフック部材と、を有し、前記ワイヤ部材は、前記フック部材との係合箇所と対峙する箇所を支点として前記光源部又は前記ベース部に対して回動可能となっていることが好ましい。
【０００９】
前記ワイヤ部材は、前記光源部又は前記ベース部に対してスライド可能となっていることが好ましい。
【００１０】
前記光源部は、該光源部を前記ベース部に装着したときに前記ワイヤ部材を収納する凹部を有することが好ましい。
【００１１】
前記取付機構は、前記光源部の一端及び他端にそれぞれ設けられ前記被取付機構との係合に用いられる係合部及び保持部を有し、前記保持部は、前記係合部に向かう方向とは逆方向に弾性付勢され、前記被取付機構は、前記係合部及び保持部の各々と係合する被係合部及び被保持部を有し、前記光源部は、前記係合部を前記ベース部の被係合部に係合させた状態で前記ベース部の方向に回動可能とされ、前記ワイヤ部材は、前記光源部を前記ベース部に対して回動させるときに、前記フック部材に係合することが好ましい。
【００１２】
前記ワイヤ部材は、前記光源部を前記ベース部に対して回動させた状態で前記係合部を前記被係合部から外すように前記光源部を前記ベース部から離れる方向に移動させると、前記フック部材から外れるように構成されていることが好ましい。
【００１３】
前記フック部材は、前記ベース部に設けられ、前記フック部材の先端が前記被保持部と対向するように配置されていることが好ましい。
【００１４】
前記フック部材は、前記光源部を前記ベース部に装着する方向とは逆方向に回動したときに、前記ワイヤ部材と係合することが好ましい。
【００１５】
前記ワイヤ部材は、前記フック部材が嵌り込む窪み部を有することが好ましい。
【００１６】
前記ワイヤ部材は、前記ワイヤ部材の回動範囲を規制する規制部を有することが好ましい。
【００１７】
前記ワイヤ部材は、前記規制部により回動が規制された位置で前記光源部又は前記ベース部に対して着脱可能となっていることが好ましい。
【００１８】
前記フック部材は、前記ベース部の装着面から立設された立設片と、前記立設片の端部から前記装着面と平行に伸びる平行片と、前記平行片の端部から前記立設片の立ち上がり部に向けて伸びる折り返し片と、を有することが好ましい。
【００１９】
前記折り返し片の端部から前記装着面までの間隙大きさは、前記ワイヤ部材の前記フック部材との係合箇所の断面幅よりも小さく、前記フック部材が弾性変形することにより前記断面幅よりも大きくなることが好ましい。
【００２０】
前記フック部材は、前記折り返し片の端部から前記立設片と前記平行片との接続部に向けて伸び前記ワイヤ部材を係止する係止片を更に有し、前記係止片の端部から前記装着面までの間隙大きさは、前記ワイヤ部材の前記フック部材との係合箇所の断面幅よりも大きいことが好ましい。
【００２１】
前記フック機構は、前記光源部及び前記ベース部のいずれか一方に設けられた伸縮部材と、他方に設けられ前記伸縮部材と係合するフック部材と、を有することが好ましい。
【００２２】
前記フック機構は、前記光源部及び前記ベース部のいずれか一方に設けられ折りたたみ可能に構成された折りたたみ部材と、他方に設けられ前記折りたたみ部材と係合するフック部材と、を有することが好ましい。
【００２３】
本発明の照明装置は、上記発光モジュールを備えたことを特徴とする。
【発明の効果】
【００２４】
本発明によれば、取付機構と被取付機構とが互いに係合していないときに光源部とベース部とを互いに繋ぎ止めるフック機構が設けられている。そのため、光源部をベース部から取り外す際に、作業者が光源部を引っ張って取付機構と被取付機構との係合を外した場合でも、フック機構が光源部とベース部とを互いに繋ぎ止め、光源部のベース部からの落下を防止することができる。また、フック機構は光源部をベース部に装着したときに光源部の厚み内に収まるので、光源部が分厚くならずに発光モジュールの見栄えが良い。
【図面の簡単な説明】
【００２５】
【図１】本発明の実施形態に係る発光モジュールの分解斜視図。
【図２】上記発光モジュールにおいて光源部をベース部に対して回動させた状態を示す斜視図。
【図３】上記発光モジュールを構成するワイヤ部材の斜視図。
【図４】上記ワイヤ部材が取り付けられた光源部の斜視図。
【図５】図４のＩ−Ｉ線断面図。
【図６】（ａ）は図５の点線で囲んだ領域の拡大図、（ｂ）は（ａ）の状態から上記ワイヤ部材を光源部に対して回動させた状態を示す図。
【図７】（ａ）乃至（ｄ）は、上記発光モジュールにおいて光源部をベース部に装着するときの動作を示す側面図。
【図８】（ａ）（ｂ）は、上記発光モジュールにおいてユーザが手動でワイヤ部材をフック部材に係合させるときの動作を示す側面図。
【図９】（ａ）乃至（ｄ）は、上記発光モジュールにおいて光源部をベース部から取り外すときの動作を示す側面図。
【図１０】（ａ）乃至（ｃ）は、上記実施形態の変形例に係る発光モジュールにおいて光源部をベース部に装着するときの動作を示す側面図。
【図１１】上記実施形態の他の変形例に係る発光モジュールを構成するワイヤ部材の斜視図。
【図１２】（ａ）は本発明の他の実施形態に係る発光モジュールの斜視図、（ｂ）は（ａ）の点線で囲んだ領域の拡大図。
【図１３】（ａ）乃至（ｄ）は、上記発光モジュールにおいて光源部をベース部に装着するときの動作を示す側面図。
【図１４】（ａ）（ｂ）は、本発明の更に他の実施形態に係る発光モジュールの側面図。
【図１５】本発明の更に他の実施形態に係る発光モジュールの斜視図及びその一部拡大図。
【図１６】（ａ）乃至（ｃ）は、上記発光モジュールにおいてワイヤ部材をフック部材に係合させるときの動作を示す側断面図。
【発明を実施するための形態】
【００２６】
本発明の実施形態に係る照明装置の一構成である発光モジュールについて図１乃至図９を参照して説明する。図１及び図２に示すように、発光モジュール１は、矩形平板状の光源部２と、光源部２を装着する長尺な矩形平板状のベース部３と、を備える。また、発光モジュール１は、ベース部３に取り付けられ光源部２への給電に用いられる給電部４と、光源部２のベース部３からの落下を防止するためのフック機構５と、を備える。なお、以下の説明においては、ベース部３が伸びるベース部３の長さ方向を長手方向といい、この長手方向に直交するベース部３の幅方向を短手方向という。
【００２７】
光源部２は、その一方の面をベース部３に装着される装着面２Ａとし、装着面２Ａとは反対側の面を発光面としている。光源部２は、自身をベース部３に着脱可能に取り付けるための取付機構２１を装着面２Ａに有する。取付機構２１は、ベース部３との係合に用いられる係合部２２及び保持部２３を有し、係合部２２及び保持部２３は、それぞれ光源部２の短手方向における一端及び他端に設けられている。係合部２２は、光源部２の長手方向に沿って伸びる一辺に亘って設けられ、保持部２３は、光源部２の長手方向に沿って伸びる他辺の中央に設けられている。保持部２３は、係合部２２に向かう方向とは逆方向にバネ２４によって弾性付勢されている（図５参照）。
【００２８】
ベース部３は、その一方の面を光源部２を装着する装着面３Ａとし、装着面３Ａとは反対側の面を天井や壁等の施工面に取り付けられる取付面としている。ベース部３は、光源部２の取付機構２１と係合する被取付機構３１を装着面３Ａに有する。被取付機構３１は、ベース部３の長手方向に沿って伸びる一辺に亘って設けられ光源部２の係合部２２と係合する被係合部３２と、ベース部３の長手方向に沿って伸びる他辺に亘って設けられ光源部２の保持部２３と係合する被保持部３３と、を有する。光源部２は、その係合部２２をベース部３の被係合部３２に係合させた状態で、係合部２２を支点としてベース部３に対して回動可能となっている（図２参照）。
【００２９】
給電部４は、外部電源に接続された入力コネクタ４１と、入力コネクタ４１に入力された電力を光源部２に給電するためのコネクタ４２と、電気回路において末端に位置する光源部２の給電端子（不図示）を保護するエンドキャップ４３と、を有する。コネクタ４２は、ベース部３の装着面３Ａに設けられた複数のコネクタ取付部３４のいずれかに着脱可能に取り付けられている。コネクタ４２を任意のコネクタ取付部３４に取り付けることで、光源部２をベース部３に対して所望の配置パターンで配置することができる。
【００３０】
フック機構５は、光源部２の装着面２Ａに設けられたワイヤ部材５１と、ベース部３の装着面３Ａに設けられワイヤ５１と係合するフック部材５２と、を有する。ワイヤ部材５１は、光源部２の取付機構２１とベース部３の被取付機構３１とが互いに係合していないときに、フック部材５２に係合して光源部２とベース部３とを互いに繋ぎ止める。ワイヤ部材５１は、光源部２をベース部３に装着したときに、光源部２の厚み内に収まるように光源部２の装着面２Ａに設けられた凹部２５に収納される（図２参照）。フック部材５２は、その先端がベース部３の被保持部３３と対向するように配置されている。
【００３１】
図３に示すように、ワイヤ部材５１は、略Ｕ字状とされ、一の方向に伸びフック部材５２に係合する引っかかり部（係合箇所）５３と、引っかかり部５３の両端から引っかかり部５３と直交して互いに同じ方向に伸びる一対の伸長部５４と、を有する。また、ワイヤ部材５１は、伸長部５４の各端部から外方に向かって引っかかり部５３と平行で互いに逆方向に伸びる一対の足部５５と、足部５５の各端部から引っかかり部５３及び伸長部５４の両方に直交して互いに同じ方向に伸びる一対の規制部５６と、を有する。
【００３２】
図４及び図５に示すように、ワイヤ部材５１は、その足部５５及び規制部５６が凹部２５の長手方向における側壁に設けられた一対のスライド溝６に挿入された状態で、光源部２に保持されている。一対のスライド溝６の各々は、短手方向に沿って伸び、且つ互いに相対するように装着面２Ａと平行な方向に彫り込まれて形成されている。一対のスライド溝６は、装着面２Ａにおいて係合部２２側に配置されている。
【００３３】
図６（ａ）に示すように、スライド溝６は、装着面２Ａと平行な方向に彫り込まれた穴６１（ドットで示す）と、穴６１に対してワイヤ部材５１が短手方向にスライド可能となるように穴６１の装着面２Ａ側とは反対側を部分的に覆う壁６２と、を有する。壁６２により覆われた穴６１の領域６３は、ワイヤ部材５１の規制部５６を収納することができる大きさに構成されている。これにより、ワイヤ部材５１は、スライド溝６に挿入された状態において、短手方向に沿ってスライド可能、且つ引っかかり部５３に対峙する足部５５を支点として光源部２に対して回動可能となる。
【００３４】
図６（ｂ）に示すように、ワイヤ部材５１の伸長部５４と装着面２Ａとの成す角度が９０°になったとき、ワイヤ部材５１の規制部５６は、スライド溝６の内壁に当接してワイヤ部材５１のそれ以上の回動を防止する。このように、規制部５６は、ワイヤ部材５１の回動範囲を規制する。
【００３５】
また、伸長部５４と装着面２Ａとの成す角度が９０°のとき、すなわち、規制部５６がワイヤ部材５１の回動を規制している位置では、規制部５６は壁６２と干渉しない。このとき、ワイヤ部材５１は、スライド溝６に対して着脱可能となる。このように所定の角度でのみワイヤ部材５１がスライド溝６に対して着脱可能となっているので、ワイヤ部材５１が回動中に意図せずスライド溝６から脱落するのを防止することができる。なお、図６（ａ）（ｂ）では、図を分かり易くするために断面のハッチングを省略している。
【００３６】
次に、発光モジュール１において光源部２をベース部３に装着するときの動作について図７（ａ）乃至（ｄ）を参照して説明する。まず、図７（ａ）に示すように、光源部２の係合部２２とベース部３の被係合部３２とを互いに係合させ、ワイヤ部材５１の引っかかり部５３がフック部材５２と被保持部３３との間の装着面３Ａに位置するように、光源部２をベース部３の方向に回動させる。この状態から、図７（ｂ）に示すように、光源部２をベース部３に装着する方向とは逆方向に回動させると、ワイヤ部材５１の引っかかり部５３が、装着面３Ａ上をフック部材５２の方に滑ってフック部材５２に係合する。これにより、光源部２がベース部３に仮止めされるので、この状態で仮に係合部２２と被係合部３２との係合が外れたとしても、光源部２はベース部３から落下しない。その後、図７（ｃ）に示すように、再び光源部２をベース部３の方向に回動させると、ワイヤ部材５１がスライド溝６に沿って係合部２２の方向にスライドして、光源部２の保持部２３とベース部３の被保持部３３とが互いに当接するように近づく。被保持部３３に当接した保持部２３は、バネ２４の弾性力に逆らって光源部２の内方に押し込まれ、被保持部３３を乗り越えた後、図７（ｄ）に示すように、被保持部３３と係合する。このようにして、光源部２のベース部３への装着及びワイヤ部材５１のフック部材５２への係合が行われる。
【００３７】
また、ワイヤ部材５１とフック部材５２との係合は、ユーザにより手動で行われてもよい。この場合、まず、図８（ａ）に示すように、光源部２の係合部２２とベース部３の被係合部３２とを互いに係合させる。このとき、ワイヤ部材５１は、その規制部５６がスライド溝６の内壁に当接して装着面２Ａに対して９０°以上回動しないので、次のステップにおけるワイヤ部材５１とフック部材５２との係合がやり易くなる。次いで、図８（ｂ）に示すように、ワイヤ部材５１の引っかかり部５３とフック部材５２とを、ユーザが手動で互いに係合させる。その後、上述した図７（ｃ）（ｄ）に示した動作と同じ動作を行うことで、光源部２がベース部３に装着される。
【００３８】
次に、光源部２をベース部３から取り外すときの動作について図９（ａ）乃至（ｄ）を参照して説明する。なお、本図では、天井等の施工面に取り付けたベース部３から光源部２を取り外す動作をイメージし易いように、ベース部３を上側に示し、光源部２を下側に示している。
【００３９】
図９（ａ）乃至（ｃ）に示した動作は、上述した図８（ｂ）乃至（ｄ）に示した動作を逆の手順で行うものである。図９（ａ）に示すように、光源部２がベース部３に装着された状態から、光源部２の保持部２３とベース部３の被保持部３３との係合を外すように光源部２を引っ張る。そうすると、図９（ｂ）に示すように、保持部２３と被保持部３３との係合が外れて係合部２２を支点として光源部２がベース部３に対して回動すると共に、ワイヤ部材５１が、フック部材５２に係合した状態でスライド溝６を保持部２３の方にスライドする。そして、図９（ｃ）に示すように、ワイヤ部材５１は、スライド溝６の保持部２３側の端部に達し、保持部２３と被保持部３３とが互いに係合していない状態で、光源部２とベース部３とを互いに繋ぎ止める。このとき、フック部材５２が、その先端が被保持部３３と対向するように配置されているので、仮に過剰な力で光源部２をベース部３に対して回動させたとしても、ワイヤ部材５１がフック部材５２から外れず、確実に光源部２のベース部３からの落下を防止することができる。次いで、図９（ｄ）に示すように、光源部２の係合部２２をベース部３の被係合部３２から外すように光源部２をベース部３から離れる方向に移動させると、ワイヤ部材５１とフック部材５２との係合も外れる。このように、係合部２２と被係合部３２との係合解除と、ワイヤ部材５１とフック部材５２との係合解除と、を同時に行うことができるので、操作性が良い。
【００４０】
上記のように、本実施形態の発光モジュール１によれば、光源部２をベース部３から取り外す際に、作業者が光源部２を引っ張って取付機構２１と被取付機構３１との係合を外した場合でも、フック機構５が光源部２とベース部３とを互いに繋ぎ止めている。これにより、光源部２のベース部３からの落下を防止して、安全性を高めることができる。また、フック機構５は、光源部２をベース部３に装着したときに光源部２の厚み内に収まるので、光源部２が分厚くならずに発光モジュール１の見栄えの良さを損なわない。
【００４１】
次に、上記実施形態の変形例に係る発光モジュールについて図１０（ａ）乃至（ｃ）を参照して説明する。発光モジュール１１では、ベース部３に設けられたフック部材５２の先端が、被係合部３２と対向している。
【００４２】
発光モジュール１１において光源部２をベース部３に装着するには、図１０（ａ）に示すように、まず、係合部２２を被係合部３２に係合させ、ワイヤ部材５１の引っかかり部５３をフック部材５２の先端に当接させる。この状態で、図１０（ｂ）に示すように、光源部２をベース部３の方向に回動させると、ワイヤ部材５１の引っかかり部５３が、フック部材５２の方に押されてフック部材５２と係合する。次いで、図１０（ｃ）に示すように、光源部２をベース部３の方向に更に回動させると、ワイヤ部材５１がスライド溝６を係合部２２の方にスライドして、光源部２がベース部３に装着される。なお、光源部２のベース部３からの取り外しは、上述した図１０（ｂ）（ｃ）の動作を逆の手順で行えばよい。
【００４３】
次に、上記実施形態の他の変形例に係る発光モジュールを構成するワイヤ部材について図１１を参照して説明する。ワイヤ部材５１ａは、上述のワイヤ部材５１を基に、引っかかり部５３にフック部材５２が嵌り込む窪み部５７を更に設けたものである。窪み部５７は、引っかかり部５３の中央からフック部材５２の幅の分だけ伸長部５４が伸びる方向とは逆方向に突出している。
【００４４】
このような窪み部５７を設けることでワイヤ部材５１ａとフック部材５２との係合位置が分かり易くなるので、操作性を向上することができる。また、光源部２をベース部３に装着するときに窪み部５７とフック部材５２とを互いに位置合わせすることで、ベース部３の長手方向における光源部２の位置が規制され、ベース部３に対して光源部２を所定位置に精度良く配置することができる。
【００４５】
次に、本発明の他の実施形態に係る発光モジュールについて図１２及び図１３を参照して説明する。図１２（ａ）（ｂ）に示すように、発光モジュール１２では、ワイヤ部材５１ｂがベース部３に設けられ、フック部材５２が光源部２に設けられている。ワイヤ部材５１ｂは、ワイヤ部材５１を基に規制部５６を除いたものとされる。ワイヤ部材５１ｂは、ベース部３の装着面３Ａにおいて長手方向に沿って設けられた一対のワイヤ部材支持部３５により足部５５が軸支された状態で、ベース部３に対して回動可能に保持されている。フック部材５２は、その先端が保持部２３と対向するように光源部２の装着面２Ａに設けられている。
【００４６】
図１３（ａ）乃至（ｄ）に示すように、発光モジュール１２において光源部２をベース部３に装着するには、まず、図１３（ａ）に示すように、係合部２２と被係合部３２とを互いに係合させた状態で、ワイヤ部材５１ｂの引っかかり部５３をフック部材５２に係合させる。次いで、図１３（ｂ）（ｃ）に示すように、光源部２をベース部３の方向に回動させると、ワイヤ部材５１ｂがフック部材５２上を係合部２２側にスライドして、図１３（ｄ）に示すように、光源部２がベース部３に装着される。なお、光源部２のベース部３からの取り外しは、上述した図１３（ａ）乃至（ｄ）の動作を逆の手順で行えばよい。
【００４７】
上述の発光モジュール１２によれば、ベース部３に比べて交換頻度の高い光源部２に単純な構造を有するフック部材５２が設けられ、交換頻度の低いベース部３にフック部材５２よりも複雑な構造を有するワイヤ部材５１ｂが設けられている。そのため、より容易且つ低コストに光源部２を製造することができる。
【００４８】
次に、本発明の更に他の実施形態に係る発光モジュールについて図１４（ａ）（ｂ）を参照して説明する。図１４（ａ）に示すように、発光モジュール１３では、フック機構５が、光源部２の装着面２Ａに取り付けられた伸縮部材５８と、ベース部３に設けられ伸縮部材５８と係合するフック部材５２と、を有する。伸縮部材５８は、例えば、ゴム紐により構成され、このゴム紐の先端をフック部材５２に括りつけておけば、光源部２の取付機構２１とベース部３の被取付機構３１とが互いに係合していない状態でも、光源部２のベース部３からの落下を防止することができる。
【００４９】
また、図１４（ｂ）に示すように、発光モジュール１４では、フック機構５が、光源部２の装着面２Ａに設けられ折りたたみ可能に構成された折りたたみ部材５９と、ベース部３に設けられ折りたたみ部材５９と係合するフック部材５２と、を有する。折りたたみ部材５９は、例えば、複数の棒状部材を互いの連結部位が折り曲がり可能となるように連結したものにより構成され、光源部２がベース部３に装着されている場合には、折りたたまれて光源部２の凹部２５に収容される。発光モジュール１４によっても、上述した発光モジュール１３と同様に、光源部２の取付機構２１とベース部３の被取付機構３１とが互いに係合していない状態でも、光源部２のベース部３からの落下を防止することができる。
【００５０】
次に、本発明の更に他の実施形態に係る発光モジュールについて図１５及び図１６を参照して説明する。図１５に示すように、発光モジュール１５は、上述した発光モジュール１を基に、フック部材５２の形状を変更したものである。
【００５１】
フック部材５２は、ベース部３の装着面３Ａから立設された立設片５２ａと、立設片５２ａの端部から装着面３Ａと平行に伸びる平行片５２ｂと、平行片５２ｂの端部から立設片５２ａの立ち上がり部に向けて伸びる折り返し片５２ｃと、を有する。また、フック部材５２は、折り返し片５２ｃの端部５２ｄから立設片５２ａと平行片５２ｂとの接続部に向けて伸びワイヤ部材５１を係止する係止片５２ｅを有する。フック部材５２は、板バネのような弾性を有する材料により構成され、平行片５２ｂと折り返し片５２ｃとの接続部がベース部３の被保持部３３と対向するようにして配置されている。なお、フック部材５２は、係止片５２ｅを有さない構成とされてもよい。
【００５２】
図１６（ａ）に示すように、折り返し片５２ｃの端部５２ｄからベース部３の装着面３Ａまでの間隙大きさＤ１は、ワイヤ部材５１のフック部材５２との係合箇所５１ｃの断面幅Ｗよりも小さく構成されている。また、係止片５２ｅの端部から装着面３Ａまでの間隙大きさＤ２は、係合箇所５１ｃの断面幅Ｗよりも大きく構成されている。
【００５３】
上記のように構成されたフック部材５２にワイヤ部材５１を係合するときの動作について、上述した図１６（ａ）に加えて図１６（ｂ）（ｃ）を更に参照して説明する。図１６（ａ）に示すように、まず、フック部材５２の折り返し片５２ｃにワイヤ部材５１の係合箇所５１ｃを当接させる。次いで、図１６（ｂ）に示すように、ワイヤ部材５１を立設片５２ａの方向に移動させる。そうすると、ワイヤ部材５１は、間隙大きさＤ１が係合箇所５１ｃの断面幅Ｗよりも小さいので、フック部材５２を弾性変形させることにより間隙大きさＤ１を断面幅Ｗよりも大きくしながら端部５２ｄと装着面３Ａとの間を通過する。その後、図１６（ｃ）に示すように、ワイヤ部材５１は、間隙大きさＤ２が係合箇所５１ｃの断面幅Ｗよりも大きいので、係止片５２ｅの端部と装着面３Ａとの間を通過してフック部材５２に係合する。
【００５４】
一方、フック部材５２からワイヤ部材５１を取り外す場合には、上述した図１６（ａ）乃至（ｃ）の過程を逆に行う。すなわち、図１６（ｃ）に示したように、ワイヤ部材５１の係合箇所５１ｃを係止片５２ｅに当接させた状態から、ワイヤ部材５１を折り返し片５２ｃの方向に移動させる。このとき、間隙大きさＤ２が係合箇所５１ｃの断面幅Ｗよりも大きいので、係止片５２ｅがガイドとなってワイヤ部材５１を速やかに移動させることができる。次いで、図１６（ｂ）に示したように、ワイヤ部材５１は、フック部材５２の弾性力に逆らいながら端部５２ｄと装着面３Ａとの間を通過して、その結果、図１６（ａ）に示したように、フック部材５２から外れる。このように、ワイヤ部材５１をフック部材５２から取り外す場合には、弾性力に逆らってフック部材５２を撓ませる必要があるので、ワイヤ部材５１がフック部材５２から外れ難くなって、光源部２のベース部３からの脱落を確実に防止することができる。
【００５５】
なお、本発明に係る発光モジュール及びそれを用いた照明装置は、上記実施形態及びその変形例に限定されず、種々の変形が可能である。例えば、上述した発光モジュール１２を基に、ワイヤ部材をベース部の装着面において短手方向に沿ってスライド可能としてもよい。また、各々の光源部に対して複数のワイヤ部材を設けてもよい。
【符号の説明】
【００５６】
１、１１、１２、１３、１４、１５  発光モジュール
２  光源部
２１  取付機構
２２  係合部
２３  保持部
２５  凹部
３  ベース部
３Ａ  （ベース部の）装着面
３１  被取付機構
３２  被係合部
３３  被保持部
４  給電部
５  フック機構
５１、５１ａ、５１ｂ  ワイヤ部材
５２  フック部材
５２ａ  立設片
５２ｂ  平行片
５２ｃ  折り返し片
５２ｄ  折り返し片の端部
５２ｅ  係止片
５６  規制部
５７  窪み部
５８  伸縮部材
５９  折りたたみ部材
Ｄ１  折り返し片の端部から（ベース部の）装着面までの間隙大きさ
Ｄ２  係止片の端部から（ベース部の）装着面までの間隙大きさ
Ｗ  ワイヤ部材のフック部材との係合箇所の断面幅
【図１】
2014194917.tif 000003
【図２】
2014194917.tif 000004
【図３】
2014194917.tif 000005
【図４】
2014194917.tif 000006
【図５】
2014194917.tif 000007
【図６】
2014194917.tif 000008
【図７】
2014194917.tif 000009
【図８】
2014194917.tif 000010
【図９】
2014194917.tif 000011
【図１０】
2014194917.tif 000012
【図１１】
2014194917.tif 000013
【図１２】
2014194917.tif 000014
【図１３】
2014194917.tif 000015
【図１４】
2014194917.tif 000016
【図１５】
2014194917.tif 000017
【図１６】
2014194917.tif 000018